(57)【要約】      （修正有）【課題】主に女性を対象としたレインブーツのファッション性を一段と高め、シート状装飾体が防寒性も兼ね、レインブーツを履いたときの足への違和感が無く履き心地が良く、シート状装飾体を靴にしっかりと装着でき、シート状装飾体の取り外しも容易であり、何種類かのシート状装飾体を用意することにより自在なファッションを楽しむことができることができるレインブーツを提供する。【解決手段】レインブーツ本体１の胴部１ｃ上端周縁部の一周上に、所定間隔をおいてテープ通し用鳩目２を形成した。【選択図】図１
2012010806.tif 000002
【特許請求の範囲】
【請求項１】
レインブーツ本体の胴部上端周縁部の一周上に、所定間隔をおいてテープ通し用鳩目を形成したことを特徴とするレインブーツ。
【請求項２】
上記テープ通し用鳩目に、該鳩目に通すことができる幅と厚みを備えたリボンテープまたは紐状テープを鳩目の１つおき又は複数おきに通し、ヒール側の胴部上端周縁部でリボン結びをすることを特徴とする請求項１記載のレインブーツ。
【請求項３】
レインブーツ本体の胴部上端周縁部の周上に、所定間隔をおいてテープ通し用鳩目を形成するとともに前記胴部表側の甲部正面からヒール側にかけての胴部周面を被覆するシート状装飾体を備え、該シート状装飾体の一辺側は前記胴部の上端周縁部内側周面を一周する長さに形成し、該一辺側周縁近傍に前記テープ通し用鳩目位置と対応する位置に同様のテープ通し用鳩目を形成し、前記シート状装飾体の一辺側の裏地面周縁が前記胴部上端周縁部の内側周面に当接した状態でシート状装飾体のリボン通し用鳩目と胴部上端周縁部のリボン通し用鳩目の各対向位置にテープを通してシート状装飾体の一辺側の裏地面周縁を胴部の上部内側周面に当接固定し、かつ該シート状装飾体の表面でレインブーツ本体の表側の甲部正面からヒール側にかけての甲側正面の胴部及び胴部側面を被覆することを特徴とする請求項１記載のレインブーツ。
【請求項４】
請求項３の発明において、シート状装飾体は裏地の片面にファー若しくは柔らかい素材の繊維を植毛したもの又は起毛したものであって、一辺側がレインブーツ本体の胴部上端周縁部内側周面を一周する長さに形成され、かつシート状装飾体の形状は、レインブーツ本体の表側の甲部正面からヒール側にかけての甲側正面の胴部及び胴部側面を被覆する大きさに形成されていることを特徴とする請求項３記載のレインブーツ。
【請求項５】
上記テープはテープ通し用鳩目に通すことができる幅と厚みを備えたリボンテープまたは紐状テープであることを特徴とする請求項３又は４記載のレインブーツ。
【請求項６】
請求項３の発明において、上記シート状装飾体を構成するファー若しくは柔らかい素材の繊維を植毛したもの又は起毛したものは撥水性を有していることを特徴とする請求項３、４又は５記載のレインブーツ。
【発明の詳細な説明】
【技術分野】
【０００１】
本発明は、主として女性用のレインブーツ(雨靴)の履き口周縁部に着脱自在にファーを装着して、ファッション性及び快適性を付与するレインブーツに関する。
【背景技術】
【０００２】
女性用のレインブーツ(雨靴)は単に雨靴としての機能だけではなく、ファッション性を備えたレインブーツが多数提供されているが、そのレインブーツのファッション性は靴の形態や靴の表面に色彩を施したデザインが主流である。
【先行技術文献】
【特許文献】
【０００３】
従来の装飾部材を取付けた雨靴として、可撓性シートと、前記可撓性シートの上面に設けられた装飾体とよりなり、前記可撓性シートの上縁部は、その略中央部がＶ字形に切欠され、切欠部の左右両端が突き合わせされ、縫着されていることを特徴とする装飾部材がある(特許文献１参照)。
【特許文献１】特許文献１  特開平１１−２８１０８
【発明の概要】
【発明が解決しようとする課題】
【０００４】
しかし、上記特許文献１は、装飾部材を雨靴等の胴部に取り付ける際、取り付けが容易であり、装飾部材が胴部の曲面に良く馴染み、歩行中に邪魔にならず、千切れる虞れのない装飾部材を提供すると共に、その装飾部材を備えた靴を提供することを目的としたものである。
また、その効果として、上記特許文献１の装飾部材は、可撓性シートと、可撓性シートの上面に設けられた装飾体とよりなり、前記可撓性シートの上縁中央部がＶ字形に切欠され、切欠部の左右両端が突き合わせされ、縫着されているので雨靴等の胴部の曲面に良くフィットし、履き口部に容易に取り付けられるという効果が期待されている。また上記特許文献１の装飾部材を備えた靴は、装飾部材が胴部によくフィットするので、歩行中に邪魔にならず、また、縫い付け面が広いので、千切れたり、盗まれる虞れもない。さらに、装飾部材が発光性を有するので、児童が関心をもち、雨靴を喜んで長く履くことができるという効果が期待されている。
【０００５】
しかし、特許文献１は雨靴等の胴部に、発光性の装飾体を備えた可撓性シートを縫着する構成であるため、可撓性シートは前記胴部から取り外しが自在にできないという難点があり、かつ装飾体は単に装飾機能を発揮するだけに留まり、装飾体自体により靴を履く人の足の防寒効果や履き易さを考慮したものではない。しかも、ファッション性の点で未だ不十分である。
【０００６】
本発明は上記の点に鑑みてなされたもので、その目的とするところは、主に女性を対象としたレインブーツのファッション性を一段と高め、シート状装飾体が防寒性も兼ね、レインブーツを履いたときの足への違和感が無く履き心地が良く、シート状装飾体を靴にしっかりと装着でき、シート状装飾体の取り外しも容易であり、何種類かのシート状装飾体を用意することにより自在なファッションを楽しむことができ、冬や寒い時期を除いては、シート状装飾体をブーツから取り外し、レインブーツ本体の胴部上端周縁部の周上に、所定間隔をおいてテープ通し用鳩目だけの状態でブーツを着用するか、又は該テープ通し用鳩目にリボンテープまたは紐状テープを鳩目の１つおき又は複数おきに通し、ヒール位側の胴部上端周縁部でリボン結びをして着用することができるレインブーツを提供することにある。  
【課題を解決するための手段】
【０００７】
レインブーツ本体の胴部上端周縁部の一周上に、所定間隔をおいてテープ通し用鳩目を形成したことを特徴とするレインブーツである。
【０００８】
請求項２に係る発明は、上記テープ通し用鳩目に、該鳩目に通すことができる幅と厚みを備えたリボンテープまたは紐状テープを鳩目の１つおき又は複数おきに通し、ヒール側の胴部上端周縁部でリボン結びをすることを特徴とする請求項１記載のレインブーツである。
【０００９】
請求項３に係る発明は、レインブーツ本体の胴部上端周縁部の周上に、所定間隔をおいてテープ通し用鳩目を形成するとともに前記胴部表側の甲部正面からヒール側にかけての胴部周面を被覆するシート状装飾体を備え、該シート状装飾体の一辺側は前記胴部の上端周縁部内側周面を一周する長さに形成し、該一辺側周縁近傍に前記テープ通し用鳩目位置と対応する位置に同様のテープ通し用鳩目を形成し、前記シート状装飾体の一辺側の裏地面周縁が前記胴部上端周縁部の内側周面に当接した状態でシート状装飾体のリボン通し用鳩目と胴部上端周縁部のリボン通し用鳩目の各対向位置にテープを通してシート状装飾体の一辺側の裏地面周縁を胴部の上部内側周面に当接固定し、かつ該シート状装飾体の表面でレインブーツ本体の表側の甲部正面からヒール側にかけての甲側正面の胴部及び胴部側面を被覆することを特徴とするレインブーツである。
【００１０】
請求項３の発明において、シート状装飾体は裏地の片面にファー若しくは柔らかい素材の繊維を植毛したもの又は起毛したものであって、一辺側がレインブーツ本体の胴部上端周縁部内側周面を一周する長さに形成され、かつシート状装飾体の形状は、レインブーツ本体の表側の甲部正面からヒール側にかけての甲側正面の胴部及び胴部側面を被覆する大きさに形成されていることを特徴とするレインブーツである。
【００１１】
請求項３の発明において、上記テープはテープ通し用鳩目に通すことができる幅と厚みを備えたリボンテープまたは紐状テープであることを特徴とする請求項３又は４記載のレインブーツである。
【００１２】
請求項３の発明において、上記シート状装飾体を構成するファー若しくは柔らかい素材の繊維を植毛したもの又は起毛したものは撥水性を有していることを特徴とする請求項３、４又は５記載のレインブーツである。
【発明の効果】
【００１３】
本発明は上記構成とすることにより、主に女性を対象としたレインブーツの胴部表面をシート状装飾体で被覆することとしたので、レインブーツでありながらブーツ表面に毛皮製品が装着されており、斬新なイメージとファッション性を一段と高めることとなる。
【００１４】
また、レインブーツ本体の胴部の上端周縁部内側周面を一周する長さに形成されたシート状装飾体がレインブーツ本体の胴部上端周縁部に、所定間隔をおいて形成したテープ通し用鳩目にテープを介して止着され、シート状装飾体をレインブーツ本体の胴部上端で折り返して甲側正面の胴部及び胴部側面を被覆することとしたので、ブーツを履いたときの足首や脛(スネ)の位置に接するシート状装飾体は、レインブーツ本体の胴部上端部内面と足首や脛(スネ)との隙間が無くなり足の防寒性も兼ねることができる。
【００１５】
しかも、レインブーツを履いたときに足に接するシート状装飾体が柔らかい毛等により形成されているので足の肌への違和感が無く、かつテープ通し用鳩目を通して足側に位置するテープが周囲のファーや柔らかい植毛繊維又は起毛により覆われる状態となることから足の肌への影響は無く、一層履き心地の良いレインブーツを提供できる。
【００１６】
シート状装飾体をレインブーツの胴部上端周縁部に形成したテープ通し用鳩目にテープを介して該ブーツにしっかりと装着できるので、履いている最中にシート状装飾体が取れてしまうというトラブルが解消される。しかも、シート状装飾体の取り外しも容易であり、何種類かのシート状装飾体を用意することにより場所や日にちによってシート状装飾体を事由に替えて自在なファッションを楽しむことができる。
【００１７】
レインブーツを履いて外に出かける前に予めシート状装飾体を構成するファー又は柔らかい素材の植毛繊維又は起毛に撥水性の物質をスプレイすることにより、シート状装飾体が雨に濡れてもシート状装飾体の表面は撥水剤で保護され、装飾体本来の特性を損なうことが無い。
【００１８】
冬や寒い時期を除いては、シート状装飾体をブーツから取り外し、レインブーツ本体の胴部上端周縁部の周上に、所定間隔をおいて形成したテープ通し用鳩目だけの状態でブーツを着用するか、又は該テープ通し用鳩目にリボンテープまたは紐状テープを鳩目の１つおき又は複数おきに通し、ヒール側の胴部上端周縁部でリボン結びをして着用することができ、季節を問わずフォーシーズンを通してファッション性の高いレインブーツとして着用できる。  
【図面の簡単な説明】
【００１９】
【図１】レインブーツ本体の胴部上端周縁部の周上に、所定間隔をおいてテープ通し  鳩目を形成したレインブーツの説明図である。
【図２】レインブーツ本体の胴部上端周縁部の周上に形成したテープ通し用鳩目にリボンテープまたは紐状テープを通してヒール側でテープを結んだ状態を示す説明図である。
【図３】レインブーツ本体の胴部上端周縁部の周上にシート状装飾体を装着した状態と、該シート状装飾体をレインブーツ本体の胴部上端で折り返してレインブーツ本体の表側の甲部正面からヒール側にかけての甲側正面の胴部及び胴部側面を被覆した状態を示す説明図である。
【図４】ファーを使用した場合のシート状装飾体の展開図である。
【図５】レインブーツにファー使用のシート状装飾体を装着した状態を示す概略断面図である。
【図６】レインブーツ本体の胴部上端周縁部の周上に形成したテープ通し用鳩目にリボンテープを通して該テープを蝶結びする過程を示す説明図である。
【図７】レインブーツ本体にファー使用のシート状装飾体を装着する手順を示す説明図である。
【図８】レインブーツにファー使用のシート状装飾体を装着した状態を示す斜視図である。
【発明を実施するための形態】
【００２０】
図1において、１はレインブーツ本体で、本例では女性用としてヒール１ａが高い場合を示したが、ヒールは通常の雨靴のように低い場合であってもよい。表底１ｂを除くレインブーツ本体１はファッション性を考慮して例えばＰＶＣ等の透明な熱可塑性樹脂で成形し、その内側に明るい繊維素材の生地が熱接着されたものが使用されるが、必ずしもこれに限定されるものではなく、例えば着色された熱可塑性樹脂又は合成ゴムで成形したものであってもよい。
【００２１】
図１のレインブーツ本体１胴部１ｃ上端周縁部の周上に、所定間隔をおいてテープ通し用鳩目２を形成する。テープ通し用鳩目２の穴の大きさはテープ通し用鳩目２に通すことができる幅と厚みを備えたテープ３例えばリボンテープ３ａまたは紐状テープ(図示せず)
が使用される。リボンテープ３ａは各種色彩や柄や模様が施されているものがあるが、いずれを選択してもよい。リボンテープ３ａの幅は例えばテープ通し用鳩目２の穴経が７ｍｍとすると１５ｍｍ幅前後が好適であり、長さは７０ｃｍ前後であるが、長さはこの長さに限定されるものではなく、リボン結びや蝶結び等により長さは自由に変えることができる。
【００２２】
図４はファーを使用した場合のシート状装飾体の展開図を示す。シート状装飾体４は裏地４ｂにファー４ａを植毛したものであるが、本物の毛皮であるリアルファーあるいは人造のフェイクファーのいずれでもよく、履く人の好みに応じたものを選択すればよい。また、シート状装飾体４はファー４ａに代えて柔らかい素材の繊維を植毛したもの(図示せず)あるいは柔らかい素材で表面を起毛したもの(図示せず)であってもよい。  
【００２３】
また、シート状装飾体４は図４に示すように一辺側がレインブーツ本体１の胴部１ｃ上端周縁部内側周面を一周する長さに形成される。シート状装飾体４の形状は、レインブーツ本体１の表側の甲部正面からヒール側にかけての甲部１ｄ側正面の胴部１ｃ及び胴部１ｃ側面を被覆する大きさに形成されている。本例ではシート状装飾体４の展開図が逆蒲鉾型形状をしているが、必ずしもこの形状に限定されるものではなくデザイに応じて湾曲形状部位をノコギリ形状や多数の円弧形状に形成する等の各種形状が選択される。
【００２４】
レインブーツ本体１の上端周縁に間隔をおいて形成したテープ通し用鳩目２の位置と対応する位置のシート状装飾体４の一辺側周縁近傍に同様のテープ通し用鳩目５を形成する。
テープ通し用鳩目５の両端から図４に示す下方に向けて１個又は複数個のテープ通し用鳩目５を形成する。このように横方向のテープ通し用鳩目５だけではなく縦方向にも形成することとしたのは、レインブーツ本体１とシート状装飾体４にそれぞれ交互にテープ３を通し終わった残りのテープ部分で蝶結び等をする時にシート状装飾体４がレインブーツ本体１の上端で折り返されてシート状装飾体４の表が胴部１ｃの大部分を被覆した状態で    
残りのテープ部分を水平方向で結ぶことができるようにするためである。図５はシート状装飾体４をレインブーツ本体１の上端周縁のテープ通し用鳩目２とテープ通し用鳩目５にテープ３を通して固定をした状態を示す断面図である。
【００２５】
図６はレインブーツ本体１の胴部１ｃ上端周縁部の周上に形成したテープ通し用鳩目２にリボンテープ３ａを通してリボンテープ３ａの終端部を蝶結びにする過程を示す説明図である。
【００２６】
図７はレインブーツ本体１にファー４ａ使用のシート状装飾体４を装着する手順を示す説明図である。
先ず、図７(ａ)に示すように、レインブーツ本体１の胴部１ｃ上端周縁部の周上に形成したテープ通し用鳩目２に対応させるようにシート状装飾体４のテープ通し用鳩目５をヒール１ａ側から甲部１ｄに向けて合わせた状態でテープ３を挿通させ、胴部１ｃの表側と、シート状装飾体４の裏地４ｂに交互にテープ３が顕出するようにする。本例ではテープ３をテープ通し用鳩目２、５に交互に通した場合を示したが、これに限定するものではなく、要はテープ３によって
シート状装飾体４がレインブーツ本体１の胴部１ｃ上端周縁部に確りと固定されることが肝要である。また、テープ３の一端部側と他端部側は蝶結び等ができるようにそれぞれ例えば２０ｃｍ程度の長さが確保できるようにする。この長さも結び方によって変化する。
本例ではシート状装飾体４として、ファー４ａを使用した場合を示す。テープ３はリボンテープ３ａを使用した場合を示す。
【００２７】
図７(ｂ)に示すように、レインブーツ本体１の胴部１ｃ上端周縁部の周上にテープ３を介して固定されたファー４ａの裏地４ｂが顕出した状態で起立した状態を示す。次に、図７(ｃ)に示すように、起立するファー４ａをレインブーツ本体１の胴部１ｃ上端で外側に折り返す。テープ通し用鳩目２、５を通し終わったリボンテープ３ａは最後に蝶結び等により始末する。図７(ｄ)に示すように、ファー４ａの表が顕われてレインブーツ本体１の表側の甲部１ｄ正面からヒール１ａ側にかけての甲側正面の胴部１ｃ及び胴部１ｃの側面を被覆する。
【００２８】
図８は、レインブーツ本体１にファー４ａ使用のシート状装飾体４を装着した状態を示す。
【産業上の利用可能性】
【００２９】
本発明は、履物業界における雨靴に斬新なファッション性を取り入れることにより単に履物産業だけではなく、服飾関係産業や美容産業等の幅広い分野で利用される。
【符号の説明】
【００３０】
１      レインブーツ本体
１ａ    ヒール
１ｂ    表底
１ｃ    胴部
１ｄ    甲部
２      テープ通し用鳩目
３      テープ
３ａ    リボンテープ
４      シート状装飾体
４ａ    ファー
４ｂ    裏地
５      テープ通し用鳩目
【図１】
2012010806.tif 000003
【図２】
2012010806.tif 000004
【図３】
2012010806.tif 000005
【図４】
2012010806.tif 000006
【図５】
2012010806.tif 000007
【図６】
2012010806.tif 000008
【図７】
2012010806.tif 000009
【図８】
2012010806.tif 000010